(57)【特許請求の範囲】
【請求項１】
コントローラと、複数のＬＥＤ表示ユニットで構成されたスクリーンとを備え、前記複数のＬＥＤ表示ユニットで構成された前記スクリーンにおいて、スクリーンテストのためのスクリーンテストエリアを一部に含んだ映像を表示するスクリーンテスト機能付きＬＥＤ表示装置であって、
前記コントローラは、前記スクリーンの画面全体の映像データを記憶可能な映像メモリと、外部システムより受信したコマンドに基づいて外部より送信されてくる前記映像データの前記映像メモリへの書込み・読出しを制御する画像制御部と、前記画像制御部により制御されるスクリーンテスト回路部と、このスクリーンテスト回路部を介して前記映像メモリに記憶された前記映像データを前記スクリーンに送信する映像送信回路部とを有し、
前記スクリーンテスト回路部は、前記映像メモリに記憶された前記映像データを映像入力データとして受け、この映像入力データに所定の透過率αを乗じる第１の乗算器と、前記スクリーンテストエリアに対して選択または指定されたテスト色に透過率（１−α）を乗じる第２の乗算器と、前記第１の乗算器の出力データと前記第２の乗算器の出力データを加算する加算器と、スクリーンテストエリア選択信号に基づいて前記映像入力データと前記加算器の出力データのいずれかを選択し、選択したデータを前記映像送信回路部へ出力するセレクタとを有し、
前記スクリーンにおいて、前記スクリーンテストエリア以外の部分では、前記セレクタで選択された前記映像入力データを前記映像送信回路部へ出力することにより前記映像入力データの映像を表示し、また、前記スクリーンテストエリアでは、前記セレクタで選択された前記加算器の出力データを前記映像送信回路部へ出力することにより前記加算器の出力データの映像を表示することを特徴とするスクリーンテスト機能付きＬＥＤ表示装置。 
【請求項２】
前記スクリーンテストエリアは、ブロックテストを行うためのブロックあるいはクロスラインテストを行うためのクロスラインのいずれかであることを特徴とする請求項１に記載のスクリーンテスト機能付きＬＥＤ表示装置。
【請求項３】
前記テスト色は、白色あるいは黒色であることを特徴とする請求項１または２に記載のスクリーンテスト機能付きＬＥＤ表示装置。
【請求項４】
前記スクリーンテスト回路部はスクリーンテスト色生成回路を備え、前記スクリーンテスト色生成回路で指定した所望のスクリーンテスト色にて半透明のスクリーンテストを行えることを特徴とする請求項１または２に記載のスクリーンテスト機能付きＬＥＤ表示装置。
【請求項５】
前記スクリーンテスト回路部はスクリーンテストエリア生成回路を備え、前記スクリーンテストエリア生成回路で生成したスクリーンテストエリアにて半透明のスクリーンテストを行えることを特徴とする請求項１〜４のいずれか１項に記載のスクリーンテスト機能付きＬＥＤ表示装置。
【発明の詳細な説明】
【技術分野】
【０００１】
この発明は、コントローラとスクリーンとで構成された大型のＬＥＤ表示装置に関するものであり、さらに詳しくは、スクリーンに表示された映像の異常箇所を容易に特定することが可能な「スクリーンテスト機能付きＬＥＤ表示装置」に関する技術である。
【背景技術】
【０００２】
従来のＬＥＤ表示装置においては、スクリーンを構成する複数のＬＥＤユニットの故障箇所を特定するためのブロックテストは、白色あるいは黒色の不透明なブロックを使用しており、ブロックテストはスクリーンテスト中に行っていた。
また、クロスラインテストにおいても白色あるいは黒色の不透明なクロスラインを使用しており、クロスラインテストはスクリーンテスト中に行っていた。
なお、ブロックテストとは、スクリーン上の所望の位置に小さなテスト用のブロック（例えば、四角形状をした区画）を表示し、表示されたブロックにおいて、スクリーンを構成するＬＥＤユニットに発光異常（例えば、ＬＥＤの不点灯や所望外の発光など）がないかを検査者が目視にて確認し、異常がある箇所を容易に効率良く（容易に）特定するためのテストである。
また、クロスラインテストとは、スクリーン上の所望の位置にテスト用のクロスライン（十字線）を表示し、表示されたクロスライン上において、スクリーンを構成するＬＥＤユニットに発光異常がないかを検査者が目視にて確認し、異常がある箇所を効率良く（容易に）特定するためのテストである。
【０００３】
従来では、ブロックテストで用いられるブロックあるいはクロスラインテストで用いられるクロスラインは、不透明な白色あるいは黒色であるので、ブロックあるいはクロスラインによってスクリーン上に表示されている映像を隠してしまう。
従って、検査者は、スクリーンテスト中において、スクリーンに表示されている映像の全てを見ることができない。
なお、特開２００４−０５６６１４号公報、特開２００４−３３３８０２号公報、特開２００７−３２２８１４号公報などに記載されている従来の大型表示装置では、ブロックテストは、不透明な白色あるいは黒色のブロックを用いて、画像制御部あるいは映像メモリ部によりスクリーンテスト中に行っていた。
【先行技術文献】
【特許文献】
【０００４】
【特許文献１】特開２００４−０５６６１４号公報
【特許文献２】特開２００４−３３３８０２号公報
【特許文献３】特開２００７−３２２８１４号公報
【発明の概要】
【発明が解決しようとする課題】
【０００５】
従来のＬＥＤ表示装置のスクリーンテストでは、ブロックテストで用いられるブロックあるいはクロスラインテストで用いられるクロスラインは、不透明な白色あるいは黒色であるので、スクリーンに映像を表示中にブロックテストあるいはクロスラインテストを行うと、数字や文字情報などの重要情報を表示している映像の一部が、ブロックあるいはクロスラインで隠れてしまうことがある。
従って、スクリーンテストを行う検査者は、スクリーンに表示されている映像の全てを目視（検査）することができないので、映像を表示して行うスクリーンテストを中断してブロックあるいはクロスラインで隠れている映像を確認する必要があった。
すなわち、従来では、スクリーンに映像を表示中において効率良く（容易に）スクリーンテストを行えないという問題点があった。
【０００６】
この発明は、このような課題を解決するためになされたものであり、スクリーンに映像を表示中でも映像表示を中断することなく、効率良く（容易に）スクリーンテストを実施することが可能な「スクリーンテスト機能付きＬＥＤ表示装置」を提供することを目的とする。
【課題を解決するための手段】
【０００７】
この発明に係わるスクリーンテスト機能付きＬＥＤ表示装置は、コントローラと、複数のＬＥＤ表示ユニットで構成されたスクリーンとを備え、前記複数のＬＥＤ表示ユニットで構成された前記スクリーンにおいて、スクリーンテストのためのスクリーンテストエリアを一部に含んだ映像を表示するスクリーンテスト機能付きＬＥＤ表示装置であって、
前記コントローラは、前記スクリーンの画面全体の映像データを記憶可能な映像メモリと、外部システムより受信したコマンドに基づいて外部より送信されてくる前記映像データの前記映像メモリへの書込み・読出しを制御する画像制御部と、前記画像制御部により制御されるスクリーンテスト回路部と、このスクリーンテスト回路部を介して前記映像メモリに記憶された前記映像データを前記スクリーンに送信する映像送信回路部とを有し、
前記スクリーンテスト回路部は、前記映像メモリに記憶された前記映像データを映像入力データとして受け、この映像入力データに所定の透過率αを乗じる第１の乗算器と、前記スクリーンテストエリアに対して選択または指定されたテスト色に透過率（１−α）を乗じる第２の乗算器と、前記第１の乗算器の出力データと前記第２の乗算器の出力データを加算する加算器と、スクリーンテストエリア選択信号に基づいて前記映像入力データと前記加算器の出力データのいずれかを選択し、選択したデータを前記映像送信回路部へ出力するセレクタとを有し、
前記スクリーンにおいて、前記スクリーンテストエリア以外の部分では、前記セレクタで選択された前記映像入力データを前記映像送信回路部へ出力することにより前記映像入力データの映像を表示し、また、前記スクリーンテストエリアでは、前記セレクタで選択された前記加算器の出力データを前記映像送信回路部へ出力することにより前記加算器の出力データの映像を表示するものである。 
【発明の効果】
【０００８】
この発明によれば、スクリーンテストエリアであるブロックやクロスラインの部分は半透明になるので、ブロックテストあるいはクロスラインテストなどのスクリーンテストを行っても、ブロックやクロスラインによって表示映像が隠れることがない。
従って、重要情報を含む一部の映像が不透明なブロックあるいはクロスラインで隠れてしまうという従来の問題点が解消され、映像表示中に映像表示を中断することなく、効率良く、スクリーンテストを実施することができる。
【図面の簡単な説明】
【０００９】
【図１】この発明によるスクリーンテスト機能付きＬＥＤ表示装置の全体構成を示す図である。
【図２】実施の形態１によるスクリーンテスト回路部の構成を示す図である。
【図３】実施の形態２によるスクリーンテスト回路部の構成を示す図である。
【図４】実施の形態３によるスクリーンテスト回路部の構成を示す図である。
【発明を実施するための形態】
【００１０】
以下、図面に基づいて本発明のいくつかの実施の形態について説明する。
なお、各図間において、同一符号は同一あるいは相当のものであることを表す。
実施の形態１．
図１は、本発明に係わる「スクリーンテスト機能付きＬＥＤ表示装置」の全体構成を示す図である。
また、図２は、実施の形態１におけるスクリーンテスト回路部の構成を示した図であって、図１に示したスクリーンテスト回路部１７０の構成を概念的に示す図である。
図１に示すように、本発明に係わる「スクリーンテスト機能付きＬＥＤ表示装置」には、大別して、コントローラ１００と縦横ｍ個×ｎ個の複数個のＬＥＤ表示ユニット２２０により構成されたスクリーン２００とが配置されている。 
【００１１】
ここで、コントローラ１００は、センターシステム（図示なし）から入力される映像データをデコードするデコーダ１１０と、デコーダ１１０より出力する映像データを切り換える映像切換部１２０と、コントローラ１００全体の制御を行う画像制御部１３０と、通信に関する制御を行う通信制御部１４０と、通信制御部１４０で受信したコマンドの解析を行うコマンド解析部１５０と、スクリーンの１画面全体の映像データを記憶することが可能な映像メモリ１６０と、映像メモリ１６０より出力する映像データとスクリーンテストの映像を切り換えるスクリーンテスト回路部１７０と、スクリーンテスト回路部１７０から出力する映像データにブロックテストを行うためのブロックやクロスラインテストを行うためのクロスラインを重ね合わせた映像をスクリーン２００に送信する映像送信回路部１８０とによって構成される。
【００１２】
なお、デコーダ１１０は、センターシステム（図示なし）の種々な信号源から入力する複数種類の映像データを、コントローラ１００の内部で処理可能な映像データに変換するものである。
また、映像切換部１２０は、デコーダ１１０から出力する複数種類の映像データを切り換えて、スクリーン２００に表示できるようにするものである。
また、通信制御部１４０は、外部のＰＣ（センターシステムのＰＣ）からの「ブロックテストやクロスラインテストを実施するためのコマンド」や「表示を切り換えるコマンド」などを受け取るためのものである。
また、画像制御部１３０は、コマンド解析部１５０からの指示により映像切換部１２０および映像メモリ１６０を制御する。
【００１３】
ところで、図１に示すように、映像送信回路部１８０には、映像送信回路１、映像送信回路２、・・・映像送信回路ｋのｋ個の映像送信回路が設けられている。
ｋ個（複数個）の映像送信回路を設けたことにより、画面全体の映像データをスクリーンのエリアごとに分割して送信することが可能となり、大きいサイズのスクリーンに対応できる。
スクリーンサイズが大きくなった場合は、スクリーンサイズに合わせて（すなわち、分割された表示エリア数に対応させて）映像送信回路を増やす。
【００１４】
また、スクリーン２００は、縦ｍ個、横ｎ個のＬＥＤ表示ユニット２２０で構成されており、コントローラ１００内の映像送信回路部１８０から送信される映像データを受信し、且つ担当エリア（すなわち、１つの映像受信回路が担当する表示エリア）内のＬＥＤ表示ユニット２２０に映像データを分配送信する映像受信回路部２１０が、スクリーン２００の近辺あるいは内部に配置される。
なお、映像受信回路部２１０には、映像送信回路部１８０の複数の映像送信回路（映像送信回路１、２、３・・・ｋ）のそれぞれに対応して、複数の映像受信回路（映像受信回路１、２、・・・ｋ）が設けられる。
【００１５】
次に、スクリーンテスト回路部１７０の動作について、図２に基づいて説明する。
図２に示すように、スクリーン回路部１７０は、第１の乗算器１７１ａ、第２の乗算器１７１ｂ、加算器１７２と、第１のセレクタ１７３ａ、第２のセレクタ１７３ｂとで構成される。
映像メモリ１６０から入力する映像データ（映像入力データ）に画像制御部１３０より指定された透過率α（０≦α≦１）を第１の乗算器１７１ａで掛けあわせたデータＡと、画像制御部１３０により指定された白色あるいは黒色のテスト色に透過率（１−α）を第２の乗算器１７１ｂで掛けあわせたデータＢとを加算器１７２で足し合わせ、出力データＣを出力する。
そして、第１のセレクタ１７３ａを介して、スクリーンテストエリア（ブロックテストあるいはクロスラインテストを行うエリア、すなわち、ブロックあるいはクロスライン）を表示する場合は、スクリーンテスト回路部１７０は、第１のセレクタ１７３ａを介して加算器１７２の出力データＣをスクリーン２００に表示させる。 
【００１６】
ここで、透過率αは、映像メモリ１６０から出力される映像データをスクリーンテスト回路部１７０に入力した映像入力データがスクリーンテストエリアを透過するときの透過率であり、透過率αの値が大きいと映像入力データの割合が強く、透過率αの値が小さいとテスト色の割合が強く表示される。
スクリーンテストのエリア以外を表示する場合には、スクリーンテスト回路部１７０に入力した映像入力データを第１のセレクタ１７３ａによってそのまま出力する。 
【００１７】
このように、第１のセレクタ１７３ａは、スクリーンテストエリア選択信号に基づいて、「映像メモリ１６０から出力する映像データをスクリーンテスト回路部１７０に入力した映像入力データ」あるいは「加算器１７２から出力する出力データＣ」のいずれかのデータを選択し、選択されたデータを表示映像として映像送信回路部１８０へ出力する。
また、第２のセレクタ１７３ｂは、画像制御部１３０よりの指定によって白色あるいは黒色のいずれかのテスト色を選択し、第２の乗算器１７１ｂに出力する。 
【００１８】
ここで、第１のセレクタ１７３ａに入力するスクリーンテストエリア選択信号の生成に関して、説明する。
スクリーンテストエリア選択信号は、スクリーンテスト回路部１７０内で生成され、スクリーンテスト回路部１７０がブロックテストあるいはクロスラインテストを行うエリアのデータ（加算器１７２の出力データＣ）を出力する時は「１（Ｈｉｇｈレベル）」、それ以外の通常の映像データを出力する時（映像入力データをそのまま出力してスクリーンに表示する場合）は「０（Ｌｏｗレベル）」になる。
すなわち、第１のセレクタ１７３ａは、スクリーンテストエリア選択信号が「１」の時は加算器１７２の出力データＣを選択し、スクリーンテストエリア選択信号が「０」の時は映像入力データを選択する。
また、ブロックテストの場合は、ブロックテストエリア内部分のピクセルデータを数値１とし、クロスラインテストの場合は、クロスライン上のクロスラインテストエリア内部分のピクセルデータを数値１とし、それ以外のピクセルデータを数値０として生成する。
【００１９】
この結果、スクリーン２００において、ブロックテストあるいはクロスラインテストを行うスクリーンテストエリア以外の部分は、映像メモリ１６０から出力する映像データをスクリーンテスト回路部１７０に入力した映像入力データの映像を表示したものとなり、ブロックテストあるいはラインクロステストを行うスクリーンテストエリアの部分は、「映像メモリ１６０から出力する映像データをスクリーンテスト回路部１７０に入力した映像入力データに透過率αを掛けたもの」と「テスト色に透過率（１−α）を掛けたもの」を加算器１７２で加算した出力データＣの映像を表示したものとなる。
つまり、ブロックテストあるいはクロスラインテストの部分（すなわち、ブロックあるいはクロスラインの部分）は、映像データがテスト色から透過率α分透明になった表示となる。
従って、スクリーンに映像を表示した状態でブロックテストあるいはクロスラインテストを行っても、重要情報を含む一部の映像がブロックあるいはクロスラインで隠れてしまうという従来の問題点が解消され、映像表示中に映像表示を中断することなくスクリーンテストを実施することができる。
【００２０】
以上説明したように、本実施の形態によるスクリーンテスト機能付きＬＥＤ表示装置は、コントローラ１００に入力された映像データを制御して複数のＬＥＤ表示ユニット２２０で構成されるスクリーン２００に送信し、スクリーン２００に表示される映像のスクリーンテストを行うスクリーンテスト機能付きＬＥＤ表示装置であって、
コントローラ１００は、スクリーン２００の画面全体の映像データを記憶可能な映像メモリ１６０と、図示しない外部システムより受信したコマンドに基づいて外部より送信されてくる映像データの映像メモリ１６０への書込み・読出しを制御する画像制御部１３０と、画像制御部１３０により制御されるスクリーンテスト回路部１７０および映像メモリ１６０に記憶された映像データをスクリーン２００に送信する映像送信回路部１８０とを備えている。 
【００２１】
そして、スクリーンテスト回路部１７０は、映像メモリ１６０から入力する映像入力データに所定の透過率αを乗じる第１の乗算器１７１ａと、スクリーンテストエリアに対して選択されたテスト色に透過率（１−α）を乗じる第２の乗算器１７１ｂと、第１の乗算器１７１ａの出力データと第２の乗算器１７１ｂの出力データを加算する加算器１７２と、スクリーンテストエリア選択信号に基づいて映像入力データと加算器１７２の出力データのいずれかを選択し、選択したデータをスクリーン２００に表示する表示映像として出力するセレクタ１７３ａとを有している。
【００２２】
これにより、ブロックやクロスラインの部分（すなわち、スクリーンテストエリア）は半透明になるので、ブロックテストあるいはクロスラインテストなどのスクリーンテストを行っても、ブロックやクロスラインによって表示映像が隠れることがない。
従って、本実施の形態によれば、重要情報を含む一部の映像がブロックあるいはクロスラインで隠れてしまうという従来の問題点が解消され、映像表示中に映像表示を中断することなく、効率良く、スクリーンテストを実施することができる。
【００２３】
実施の形態２．
前述した実施の形態１では、コントローラ１００内のスクリーンテスト回路部１７０に白色あるいは黒色のテスト色を入力し、半透明のスクリーンテストを行うことについて述べた。
つまり、実施の形態１では、白色あるいは黒色のスクリーンテストエリアのテスト映像が半透明になるので、スクリーンテスト中でもスクリーンテストエリア内の映像が透けて見え、スクリーンテストのためのテスト映像の下で表示される映像の重要な情報を確認できることについて述べた。
本実施の形態では、このような実施の形態１における特徴的構成を踏襲しつつ、スクリーンテスト回路部内に所望のテスト色を生成する回路（スクリーンテスト色生成回路）を設け、白色あるいは黒色以外の色においても、半透明のスクリーンテストを行うことができる。
【００２４】
図３は、実施の形態２におけるスクリーンテスト回路部の構成を概念的に示した図である。本実施の形態によるスクリーンテスト回路部は、実施の形態１におけるスクリーンテスト回路部１７０において、第２のセレクタ１７３ｂに代えてスクリーンテスト色生成回路１７４を設けたことを特徴とする。
【００２５】
ここで、本実施の形態によるスクリーンテスト回路部の動作例について述べる。
画像制御部１３０によってスクリーンテスト色指定コマンドがスクリーンテスト回路部内のスクリーンテスト色生成回路１７４に入力され、スクリーンテスト色生成回路１７４内でスクリーンテスト色指定コマンドに対応するテスト色を生成し、半透明のスクリーンテストを行う。
スクリーンテスト色生成回路１７４は、画像制御部１３０からのスクリーンテスト色指定コマンド（例えば、Ｒ，Ｇ，Ｂのそれぞれ８ビットの階調データを指定するコマンド）により指定されたスクリーンテスト色を生成する。
そして、スクリーンテスト色生成回路１７４にて生成された「スクリーンテスト色指定コマンドで指定されたスクリーンテスト色」に対して第２の乗算器１７１ｂにより透過率（１−α）を掛けあわせる。
【００２６】
また、実施の形態１の場合と同様に、映像メモリ１６０から入力する映像入力データに画像制御部１３０より指定された透過率α（０≦α≦１）を第１の乗算器１７１ａで掛けあわせたデータＡと、第２の乗算器１７１ｂの出力Ｂとを加算器１７２で足し合わせる。
そして、第１のセレクタ１７３ａを介してスクリーンテストのエリア（ブロックテストやクロスラインテストを行うエリア）を表示する場合には、スクリーンテスト回路部１７０は、第１のセレクタ１７３ａを介して加算器１７２の出力Ｃをスクリーン２００に表示させる。スクリーンテストのエリア以外を表示する場合には、第１のセレクタ１７３ａによって映像メモリ１６０から入力する映像入力データをそのまま出力する。
【００２７】
この結果、ブロックテストあるいはクロスラインテストの部分（すなわち、スクリーンテストエリア）は、映像データが指定された白色あるいは黒色以外のテスト色から透過率α分透明になった表示となる。
従って、従来のＬＥＤ表示装置での映像表示中のスクリーンテストにおいて、表示映像中の重要情報の一部が不透明なブロックやクロスラインで隠れてしまうという問題点が解消され、映像表示中に表示を中断することなく、且つ、スクリーンテスト色生成回路１７４で生成した色によりスクリーンテストを実施することができる。
なお、映像データ自体が白色や黒色の模様で生成されていた場合、テスト色として白色あるいは黒色しか使用できないと、いくら半透明になっても、「ブロックテストのブロック」や「クロスラインテストのライン」を判別し難いが、本実施の形態によれば、白色、黒色以外の所望のテスト色でも半透明のスクリーンテストを行えるので、さらに、スクリーンテストの効率・信頼性が良くなる。 
【００２８】
以上説明したように、本実施の形態によるスクリーンテスト機能付きＬＥＤ表示装置のスクリーンテスト回路部は、スクリーンテスト色生成回路１７４を備え、スクリーンテスト色生成回路１７４で指定した所望のスクリーンテスト色にて半透明のスクリーンテストを行えることを特徴とする。
本実施の形態によれば、白色、黒色以外の所望のテスト色で半透明のスクリーンテストを行えるので、スクリーンテストの効率・信頼性がさらに良くなる。 
【００２９】
実施の形態３．
前述した実施の形態１では、コントローラ１００のスクリーンテスト回路部１７０にスクリーンテストエリア選択信号を入力し、半透明のスクリーンテストを行うことについて述べた。
本実施の形態では、このような実施の形態１における特徴的構成を踏襲しつつ、スクリーンテスト回路部内にスクリーンテストエリアを生成するスクリーンテストエリア生成回路を設け、ブロック以外の特殊な形のテストエリアにおいても半透明のスクリーンテストを行うことができる。
【００３０】
図４は、実施の形態３におけるスクリーンテスト回路部の構成を概念的に示す図である。
本実施の形態によるスクリーンテスト回路部は、前述した実施の形態によるスクリーンテスト回路部１７０において、さらにスクリーンテストエリア生成回路１７５を設けたことを特徴とする。その他の構成は、実施の形態１の場合と同じである。
【００３１】
ここで、実施の形態３におけるスクリーンテスト回路部の動作例について述べる。
実施の形態３におけるスクリーンテスト回路部は、第１の乗算器１７１ａ、第２の乗算器１７１ｂ、加算器１７２、第１のセレクタ１７３ａ、第２のセレクタ１７３ｂに加えて、さらにスクリーンテストエリア生成回路１７５を設けていることを特徴とする。
画像制御部１３０によってスクリーンテストエリアを指定するコマンド（スクリーンテストエリア生成コマンド）がスクリーンテスト回路部内のスクリーンテストエリア生成回
路１７５に入力され、スクリーンテストエリア生成回路１７５内において入力されたコマンドに対応するスクリーンテストエリアを生成し、半透明のスクリーンテストを行う。
スクリーンテストエリア生成回路１７５においては、例えば、丸や三角あるいはそれらを組み合わせた所望の図形をコマンドにより指定して、コマンドに対応した所望の図形をスクリーンテストエリアとして生成する。
【００３２】
また、映像メモリ１６０から出力する映像データ（映像入力）に画像制御部１３０より指定された透過率α（０≦α≦１）を第１の乗算器１７１ａで掛けあわせたデータＡと、画像制御部１３０より指定された白色あるいは黒色のテスト色に透過率（１−α）を第２の乗算器１７１ｂで掛けあわせたデータＢとを加算器１７２で足し合わせる。
そして、第１のセレクタ１７３ａを介して、スクリーンテストエリア生成回路１７５で生成されたスクリーンテストエリア（すなわち、丸や三角あるいはそれらを組み合わせた図形のスクリーンテストエリア）を表示する場合は、スクリーンテスト回路部は、第１のセレクタ１７３ａを介して加算器１７２の出力Ｃをスクリーン２００に表示させる。
入力映像をそのまま表示する場合は、第１のセレクタ１７３ａを介してスクリーン２００に入力映像を表示させる。
【００３３】
この結果、スクリーンテストエリア生成回路１７５により生成した図形は、透過率α分は映像メモリ１６０から出力される映像データ、透過率（１−α）分はテスト色の半透明表示となり、従来のＬＥＤ表示装置での映像表示中のスクリーンテストにおいて、表示映像中の重要情報の一部がスクリーンテストで隠れてしまうという問題点が解消される。
従って、映像表示中に表示を中断することなく、且つ、ブロックやクロスラインだけでなく、スクリーンテストエリア生成回路１７５により生成した丸や三角あるいはそれらを組み合わせた図形のスクリーンテストエリアにおいてスクリーンテストを実施することができる。
特に、本実施の形態では、スクリーンにロゴなどの固定表示を行う場合に効果があり、丸や三角あるいはそれらを組み合わせた形状のロゴ部分を半透明にすることにより、スクリーンテスト中においても、ロゴも映像入力も認識できる。 
【００３４】
以上説明したように、本実施の形態によるスクリーンテスト機能付きＬＥＤ表示装置のスクリーンテスト回路部はスクリーンテストエリア生成回路１７５を備え、スクリーンテストエリア生成回路１７５で生成した所望の図形をしたスクリーンテストエリアにて半透明のスクリーンテストを行える。従ってスクリーンテスト中においても、ロゴも映像入力も認識できる。
【産業上の利用可能性】
【００３５】
本発明は、大型表示装置のスクリーンテストにおいて、スクリーンに表示される映像の異常箇所を効率良く特定することが可能な「スクリーンテスト機能付のＬＥＤ表示装置」の実現に有用である。
【符号の説明】
【００３６】
１００  コントローラ      １１０  デコーダ        １２０  映像切換部
１３０  画像制御部      １４０  通信制御部        １５０  コマンド解析部
１６０  映像メモリ      １７０  スクリーンテスト回路部      
１７１ａ  第１の乗算器      １７１ｂ  第２の乗算器      １７２  加算器
１７３ａ  第１のセレクタ    １７３ｂ  第２のセレクタ
１７４  スクリーンテスト色生成回路
１７５  スクリーンテストエリア生成回路      １８０  映像送信回路部
２００  スクリーン  ２１０  映像受信回路部      ２２０  ＬＥＤ表示ユニット
【図１】
0005769490.tif 000002
【図２】
0005769490.tif 000003
【図３】
0005769490.tif 000004
【図４】
0005769490.tif 000005